(57)【要約】【課題】シンプルで安価な蓄熱式給湯装置を提供することを目的とする。【解決手段】蓄熱用流体Ｘを貯留する貯留タンク１と、この貯留タンク１内の蓄熱用流体Ｘを加熱する加熱手段２と、給湯用水が流通する給湯用配管３とを具備した給湯装置であって、前記給湯用配管３は貯留タンク１内の底部が給水管６に接続され貯留タンク１内の上部が給湯管７に接続されて、蓄熱用流体Ｘと熱交換する熱交換部３０（３１、３２、３３）が貯留タンク１内で上下に階層状に配設されている。【選択図】      図１
2004251593.tif 000002
【特許請求の範囲】
【請求項１】
蓄熱用流体を貯留する貯留タンクと、この貯留タンク内の蓄熱用流体を加熱する加熱手段と、給湯用水が流通する給湯用配管とを具備した給湯装置であって、前記給湯用配管は貯留タンク内の下部が給水管に接続され貯留タンク内の上部が給湯管に接続されて、蓄熱用流体と熱交換する熱交換部が貯留タンク内で上下に階層状に配設されていることを特徴とする蓄熱式給湯装置。
【請求項２】
階層状に配設されたそれぞれの熱交換部が連結配管部を介して接続され、該連結配管部が貯留タンクの外部に切り替え手段とともに配設され、連結配管部の一端が下段側の熱交換部の出口部に接続され、他端が切り替え手段と接続され、切り替え手段は通路方向を切り換えて上段側の熱交換部の入り口部または出口部に連通するように接続され、切り替え手段の上流側に温度検出手段が設けられ、温度検出手段により検出された検出温度と給湯設定温度とを比較し、給湯設定温度に達しないときは上段側の熱交換部の入口部と連通し、給湯設定温度に達しているときは上段側の熱交換部の出口部と連通するように切り替え手段を用いて切り換えることを特徴とする請求項１記載の蓄熱式給湯装置。
【請求項３】
蓄熱用流体を貯留する貯留タンクと、この貯留タンク内の蓄熱用流体を加熱する加熱手段と、給湯用水が流通する給湯用配管とを具備した給湯装置であって、前記貯留タンクは複数個直列に連通管を介して配列され、前記給湯用配管はそれぞれの貯留タンク内で蓄熱用流体と熱交換する熱交換部が配設され、それぞれの熱交換部が連結配管部を介して接続され、該連結配管部が貯留タンクの外部に切り替え手段とともに配設され、連結配管部の一端が上流側の熱交換部の出口部に接続され、他端が切り替え手段と接続され、切り替え手段は通路方向を切り換えて下流側の熱交換部の入り口部または出口部に連通するように接続され、切り替え手段の上流側に温度検出手段が設けられ、温度検出手段により検出された検出温度と給湯設定温度とを比較し、給湯設定温度に達しないときは下流側の熱交換部の入口部と連通し、給湯設定温度に達しているときは下流側の熱交換部の出口部と連通するように切り替え手段を用いて切り換えることを特徴とする蓄熱式給湯装置。
【発明の詳細な説明】
【０００１】
【発明の属する技術分野】
本発明は、蓄熱式の給湯装置に関する。
【０００２】
【従来の技術】
従来、図４に示すように、蓄熱用流体Ｗを貯留する貯留タンク１０１と、この貯留タンク１０１内の蓄熱用流体Ｗを加熱する加熱手段１０２と、貯留タンク１０１の蓄熱用流体Ｗを汲み上げる循環ポンプ１０３と、この循環ポンプ１０３により汲み上げられた蓄熱用流体Ｗが流通する加熱配管１０４で給湯用配管１０５に給水された給湯用水とを熱交換させる給湯用熱交換器１０６と、給湯システムの作動を制御する制御装置１０７などにより構成されている（例えば、特許文献１を参照。）。
【０００３】
そして、給湯用熱交換器１０６で蓄熱用流体Ｗが給湯用水と熱交換され、低温になった蓄熱用流体Ｗは循環ポンプ１０３により貯留タンク１０１の下部へと排出され、貯留タンク１０１内の蓄熱用流体Ｗは温度の比重差によって上部側から下部側へ向かって高い温度の蓄熱用流体Ｗ１、中間温度の蓄熱用流体Ｗ２、低い温度の蓄熱用流体Ｗ３に自然に分離されている。
【０００４】
【特許文献１】
特開２００１─１５３４５８号公報（第１図）
【０００５】
【発明が解決しようとする課題】
ところで、特許文献１に記載された蓄熱式給湯装置では、ヒートポンプサイクルの加熱効率を良くするために、給湯用配管１０５に給水された給湯用水を熱交換させる給湯用熱交換器１０６と、熱交換して貯留タンク１０２の下部へ排出させる循環ポンプ１０３とが必要である。そのため、熱交換装置が複雑となり、装置の信頼性の低下や製造コストが高いという問題がある。
【０００６】
本発明はそのような事情に鑑みてなされたもので、シンプルで安価な蓄熱式給湯装置を提供することを目的とする。
【０００７】
【課題を解決するための手段】
このような目的を達成するために、請求項１に記載の発明に係わる蓄熱式給湯装置（以下、「請求項１の蓄熱式給湯装置」と記す）は、蓄熱用流体を貯留する貯留タンクと、この貯留タンク内の蓄熱用流体を加熱する加熱手段と、給湯用水が流通する給湯用配管とを具備した給湯装置であって、前記給湯用配管は貯留タンク内の下部が給水管部とされ貯留タンク内の上部が給湯管部とされて、蓄熱用流体と熱交換する熱交換部が貯留タンク内で階層状に配設されていることを特徴とする。
【０００８】
請求項２に記載の発明に係わる蓄熱式給湯装置（以下、「請求項２の蓄熱式給湯装置」と記す）は、請求項１の蓄熱式給湯装置において、階層状に配設されたそれぞれの熱交換部が連結配管部を介して接続され、該連結配管部が貯留タンクの外部に切り替え手段とともに配設され、連結配管部の一端が下段側の熱交換部の出口部に接続され、他端が切り替え手段と接続され、切り替え手段は通路方向を切り換えて上段側の熱交換部の入り口部または出口部に連通するように接続され、切り替え手段の上流側に温度検出手段が設けられ、温度検出手段により検出された検出温度と給湯設定温度とを比較し、給湯設定温度に達しないときは上段側の熱交換部の入口部と連通し、給湯設定温度に達しているときは上段側の熱交換部の出口部と連通するように切り替え手段を用いて切り換えることを特徴とする請求項１記載の蓄熱式給湯装置。
【０００９】
請求項３に記載の発明に係わる蓄熱式給湯装置（以下、「請求項３の蓄熱式給湯装置」と記す）は、蓄熱用流体を貯留する貯留タンクと、この貯留タンク内の蓄熱用流体を加熱する加熱手段と、給湯用水が流通する給湯用配管とを具備した給湯装置であって、前記貯留タンクは複数個直列に連通管を介して配列され、前記給湯用配管はそれぞれの貯留タンク内で蓄熱用流体と熱交換する熱交換部が配設され、それぞれの熱交換部が連結配管部を介して接続され、該連結配管部が貯留タンクの外部に切り替え手段とともに配設され、連結配管部の一端が下段側の熱交換部の出口部に接続され、他端が切り替え手段と接続され、切り替え手段は通路方向を切り換えて上段側の熱交換部の入り口部または出口部に連通するように接続され、切り替え手段の上流側に温度検出手段が設けられ、温度検出手段により検出された検出温度と給湯設定温度とを比較し、給湯設定温度に達しないときは下流側の熱交換部の入口部と連通し、給湯設定温度に達しているときは下流側の熱交換部の出口部と連通するように切り替え手段を用いて切り換えることを特徴とする蓄熱式給湯装置。
【００１０】
【作用】
請求項１の蓄熱式給湯装置によると、給湯用配管は蓄熱用流体と熱交換する熱交換部が貯留タンク内で上下に階層状に配設されているので、給湯用配管に給水して下部から上部に向けて給湯用水を通過させると，給湯用水は蓄熱用流体との熱交換により加熱される。一方、蓄熱用流体は給湯用水に熱エネルギーが奪われて温度が低下し、比重が重くなり貯留タンク下部へ向かって降下する。
このとき上段の熱交換部で冷却された蓄熱用流体も下降するが、下段の熱交換部で冷却された蓄熱用流体よりも温度が高く（比重が軽く）それを越えて下降しない。このため、上段が高温状態となり、下段が低温状態となるように各階の熱交換部間で温度層を形成する。
【００１１】
請求項２の蓄熱式給湯装置によると、請求項１の蓄熱式給湯装置において、階層状に配設されたそれぞれの熱交換部が連結配管部を介して接続され、該連結配管部が貯留タンクの外部に切り替え手段とともに配設され、連結配管部の一端が下段側の熱交換部の出口部に接続され、他端が切り替え手段と接続され、切り替え手段は通路方向を切り換えて上段側の熱交換部の入り口部または出口部に連通するように接続され、切り替え手段の上流側に温度検出手段が設けられており、温度検出手段により検出された検出温度と給湯設定温度とを比較し、給湯設定温度に達しないときは上段側の熱交換部の入口部と連通し、給湯設定温度に達しているときは上段側の熱交換部の出口部と連通するように切り替え手段を用いて切り換えることにより、温度検出手段で検出した給湯用水の温度が給湯設定温度に達していれば、下流側となる熱交換部を回避して給湯することができ、上段側の熱交換を行わないことにより階層状の温度層の境界が明確となる。
【００１２】
請求項３の蓄熱式給湯装置によると、貯留タンクは複数個直列に連通管を介して配列され、前記給湯用配管はそれぞれの貯留タンク内で蓄熱用流体と熱交換する熱交換部が配設され、それぞれの熱交換部が連結配管部を介して接続され、該連結配管部が貯留タンクの外部に切り替え手段とともに配設され、連結配管部の一端が上流側の熱交換部の出口部に接続され、他端が切り替え手段と接続され、切り替え手段は通路方向を切り換えて下流側の熱交換部の入り口部または出口部に連通するように接続され、切り替え手段の上流側に温度検出手段が設けられており、温度検出手段により検出された検出温度と給湯設定温度とを比較し、給湯設定温度に達しないときは下流側の熱交換部の入口部と連通し、給湯設定温度に達しているときは下流側の熱交換部の出口部と連通するように切り替え手段を用いて切り換えることにより、温度検出手段で検出した給湯用水の温度が給湯設定温度に達していれば、下流側となる熱交換部を回避して給湯することができ、下流側の熱交換部が配設されている貯留タンク内の蓄熱用流体は熱交換を行わないことによりタンク毎の温度層の分離が明確になる。
【００１３】
【発明の実施の形態】
次に、本発明の実施の形態の一例を図面を参照しながら説明する。
図１は本発明の蓄熱式給湯装置の第１実施例を示す概略説明図である。
本実施例の蓄熱式給湯装置は一般家庭用として使用されるもので、蓄熱用流体Ｘを貯留する貯留タンク１と、この貯留タンク１内の蓄熱用流体Ｘを加熱する加熱手段２と、貯留タンク１内に階層状に配設され、蓄熱用流体Ｘと給湯用水を熱交換する熱交換部３０を有する給湯用配管３と、給湯装置の動作を制御する制御装置（図示しない）とから構成されている。
【００１４】
貯留タンク１は、空気孔１ａを通じて大気に開放されており、貯留タンク１内部が大気圧に保たれている。
加熱手段２は、一般にヒートポンプと呼ばれるもので、例えば、炭酸ガス、代替フロン等を冷媒として使用することにより、高圧側の冷媒圧力が冷媒の臨界圧力以上となるヒートポンプサイクルを使用している。
【００１５】
また、加熱手段２は、流入管６と流出管７を介して貯留タンク１に接続され、流入管６の上流端は貯留タンク１の下部に開口し、流出管７の下流端は貯留タンク１の上部に開口している。これにより、貯留タンク１の下部から低温の蓄熱用流体Ｘを取り込み、高温に加熱した後、流出管７から貯留タンク１の上部に戻すようになっている。
【００１６】
給湯用配管３は、その上流端が貯留タンク１内の下部で給水管４に接続され、下流端が貯留タンク１から上部から側方に突出して給湯管５に接続されており、途中部にヘアピン状に屈曲した熱交換部３１、３２、３３が階層状に配設されている。そして、熱交換部３１と３２とは給湯用水が流通する連結配管部３４で連結され、熱交換部３２と３３とは連結配管部３５で連結されている。
【００１７】
次に本実施例の蓄熱式給湯装置の給湯時の作動について説明する。
貯留タンク内の蓄熱用流体Ｘは、例えば深夜電力を利用してヒートポンプサイクルを作動させることにより、必要量だけ加熱されて蓄熱される。その後、給湯用蛇口（図示しない）が開かれると、給湯用配管３内の給湯用水が、下段の熱交換部３１、中段の熱交換部３２、上段の熱交換部３３の順に流れる。この間に、貯留タンク１内の蓄熱用流体Ｘと給湯用水とはそれぞれの熱交換部３１、３２、３３で熱交換され、給湯用水は加熱されて給湯することができる。
【００１８】
下段の熱交換部３１で給水管４から給水された給湯用水が加熱されると、蓄熱用流体Ｘ１は冷却される。冷却された下段の熱交換部３１付近の蓄熱用流体Ｘ１は比重が重くなるため、貯留タンク１の下部に降下していく。下段の熱交換部３１で順次熱交換され比重の重くなった蓄熱用流体Ｘ１は貯留タンク１の下部に蓄積され低温の温度層Ｘ─１を形成する。
【００１９】
熱交換部３１で熱交換した加熱された給湯用水は、さらに中段の熱交換部３２で蓄熱用流体Ｘ２と熱交換により加熱される。蓄熱用流体Ｘ２は冷却され比重が重くなり下降していくが、中段の熱交換部３２の給湯用水の温度は、下段の熱交換部３１の温度よりも高く、従って、熱交換された蓄熱用流体Ｘ２の温度は熱交換された下部の蓄熱用流体Ｘ１のよりも高いため、下段の熱交換部３１を越えては降下せず、中間の温度層Ｘ−２を形成する。
上段の熱交換部３３でも同様に蓄熱用流体Ｘ３と熱交換することにより高温の温度層Ｘ−３を形成する。この実施例では、熱交換部３０を３段階の階層状としたが、必要に応じた段数の階層を形成してもよい。
【００２０】
また、給湯用配管３は熱交換部３０が階層状に配置されたものであればよく、熱交換部３０の形状は本実施例のようにヘアピン状の他、コイル状など熱交換効率や加工のし易さにより選定すればよい。また、熱交換部の配管の長さや口径、形状も必要な給湯量、給湯温度等に応じて設定される。
【００２１】
図２は本発明の蓄熱式給湯装置の第２実施例を示す概略説明図である。
図において、階層状に配設されたそれぞれの熱交換部３１、３２、３３を連結する連結配管部３４、３５を貯留タンク１の外部に配置した一例である。
この連結配管部３４の一端は熱交換部３１の出口部に接続され、他端は三方弁等の切り替え手段８を介して熱交換部３２と接続している。三方弁８は通路方向を切り替えて中段の熱交換部３２の入口部または出口部に連通するように接続されている。
【００２２】
同じく、連結配管部３５の一端は熱交換部３２の出口部に接続され、他端が三方弁等の切り替え手段９と接続している。三方弁９は通路方向を切り替えて上段の熱交換部３３の入口部または出口部に連通するように接続されている。
そして、切り替え手段８、９の上流側の連結配管部３４、３５にそれぞれ温度センサ等の温度検出手段８１、９１が設けられている。その他の構成は、図１で説明した第１実施例の蓄熱式給湯装置と基本的には同一であるので、同一符号を付して説明は省略する。
【００２３】
次に第２実施例の蓄熱式給湯装置の給湯時の作動について説明する。
貯留タンク内の蓄熱用流体Ｘは、例えば深夜電力を利用してヒートポンプサイクルを作動させることにより、必要量だけ加熱されて蓄熱される。その後、給湯用蛇口（図示しない）が開かれると、給湯用配管３内の給湯用水が、下段の熱交換部３１、中段の熱交換部３２、上段の熱交換部３３の順に流れる。この間に、貯留タンク１内の蓄熱用流体Ｘと給湯用水とは、それぞれの熱交換部３１、３２、３３で熱交換され、給湯用水は加熱されて給湯することができる。
【００２４】
下段の熱交換部３１で加熱された給湯用水は、給湯用水が流通する連結配管部３４で温度センサ８１により温度が検出される。この検出温度が給湯設定温度と比較され、検出温度が給湯設定温度に達している場合は、三方弁８により中段の熱交換部３２の入口部との連通を遮断し出口部に連通するように切り換える。
【００２５】
検出温度が給湯設定温度に達しないときは、三方弁８により中段の熱交換部３２の出口部との連通を遮断し入口部に連通するように切り換え、下段の熱交換部３１で加熱された給湯用水を中段の熱交換部３２によりさらに加熱する。
【００２６】
同様にして、中段の熱交換部３２で加熱された給湯用水を連結配管部３５で温度センサ９１により温度を検出し、給湯設定温度と比較し、検出温度が給湯設定温度に達していれば、三方弁９により上段の熱交換部３３の入口部との連通を遮断し出口部に連通するように切り換える。
【００２７】
検出温度が給湯設定温度に達しないときは、三方弁９により上段の熱交換部３３の出口部との連通を遮断し入口部に連通するように切り換え、給湯用水を上段の熱交換部３３によりさらに加熱する。
【００２８】
このように、温度センサ８１、９１で検出した給湯用水の温度が給湯設定温度に達していれば、下流側となる熱交換部３１、３２を回避して給湯することができ、中段の蓄熱用流体Ｘ２または上段の蓄熱用流体Ｘ３は熱交換を行わないことにより高い温度に保つことができ、階層状の温度層の境界が明確となる。
【００２９】
図３は本発明の蓄熱式給湯装置の第３実施例を示す概略説明図で、図２で説明した第２実施例において、貯留タンク１内に階層状に形成された温度層Ｘ−１、Ｘ−２、Ｘ─３の蓄熱用流体Ｘ１、Ｘ２、Ｘ３をそれぞれ別の貯留タンク１１、１２、１３に分離したものである。
【００３０】
図において、貯留タンク１１、１２、１３は連通管６１、６２を介して直列に接続されている。貯留タンク１３と貯留タンク１２とは、連通管６２の上流端が貯留タンク１３の下部に開口して接続され、連通管６２の下流端は貯留タンク１２の上部に開口して接続されており、また、貯留タンク１２と貯留タンク１１とは、連通管６１の上流端が貯留タンク１２の下部に開口して接続され、連通管６１の下流端は貯留タンク１２の上部に開口して接続されている。
【００３１】
そして、加熱手段２は、流入管６０の上流端が貯留タンク１１の下部に開口して接続され、流出管７０の下流端は貯留タンク１３の上部に開口して接続されている。これにより、貯留タンク１１の下部から低温の蓄熱用流体Ｘ１を取り込み、高温に加熱した後、流出管７から貯留タンク１３の上部に戻すようになっている。
【００３２】
給湯用配管３は、ヘアピン状に屈曲した熱交換部３１、３２、３３が直列に接続されたもので、熱交換部３１、３２、３３がそれぞれ独立して貯留タンク１１、１２、１３内の上部に配設されている。そして、上流側となる熱交換部３１と下流側となる熱交換部３２は三方弁等の切り替え手段８を介して連結配管部３４により接続されており、上流側となる熱交換部３２と下流側となる熱交換部３３は三方弁等の切り替え手段９を介して連結配管部３５により接続されている。また、三方弁８は通路方向を切り替えて下流側となる熱交換部３２の入口部または出口部に連通するように接続され、三方弁９は通路方向を切り替えて下流側となる熱交換部３３の入口部または出口部に連通するように接続されている。
【００３３】
次に第３実施例の蓄熱式給湯装置の給湯時の作動について説明する。
貯留タンク１１、１２、１３内の蓄熱用流体Ｘ１、Ｘ２、Ｘ３は、例えば深夜電力を利用して加熱手段２→貯留タンク１３→貯留タンク１２→貯留タンク１１→加熱手段２とヒートポンプサイクルを作動させることにより、必要量だけ加熱されてそれぞれの貯留タンク１１、１２、１３に蓄熱される。その後、給湯用蛇口（図示しない）が開かれると、給湯用配管３内の給湯用水が、貯留タンク１１内の熱交換部３１、貯留タンク１２内の熱交換部３２、貯留タンク１３内の熱交換部３３の順に流れる。この間に、貯留タンク１３、１２、１１内の蓄熱用流体Ｘ３、Ｘ２、Ｘ１と給湯用水とは、それぞれの熱交換部３３、３２、３１で熱交換され、給湯用水は加熱されて給湯することができる。
【００３４】
貯留タンク１１内の熱交換部３１で加熱された給湯用水は、給湯用水が流通する連結配管部３４で温度センサ８１により温度が検出される。この検出温度が給湯設定温度と比較され、検出温度が給湯設定温度に達している場合は、三方弁８により貯留タンク１２内の熱交換部３２の入口部との連通を遮断し出口部に連通するように切り換える。
【００３５】
検出温度が給湯設定温度に達しないときは、三方弁８により貯留タンク１２内の熱交換部３２の出口部との連通を遮断し入口部に連通するように切り換え、貯留タンク１１内の熱交換部３１で加熱された給湯用水を貯留タンク１２内の熱交換部３２によりさらに加熱する。
【００３６】
同様にして、貯留タンク１２内の熱交換部３２で加熱された給湯用水を連結配管部３５で温度センサ９１により温度を検出し、給湯設定温度と比較し、検出温度が給湯設定温度に達していれば、三方弁９により貯留タンク１３内の熱交換部３３の入口部との連通を遮断し出口部に連通するように切り換える。
【００３７】
検出温度が給湯設定温度に達しないときは、三方弁９により貯留タンク１３内の熱交換部３３の出口部との連通を遮断し入口部に連通するように切り換え、給湯用水を上段の熱交換部３３によりさらに加熱する。
【００３８】
このように、温度センサ８１、９１で検出した給湯用水の温度が給湯設定温度に達していれば、下流側となる熱交換部３１、３２を回避して給湯することができ、貯留タンク１２内の蓄熱用流体Ｘ２または貯留タンク１３内の蓄熱用流体Ｘ３は熱交換を行わないことにより高い温度に保つことができ、タンク毎の温度層の分離が明確になる。
【００３９】
本実施例において、３個のタンクを連通管を介して直列に接続した構成としたが、所要としる蓄熱用流体の量、設置場所の高さ制限などにより、タンクの数は設定できる。
【００４０】
以上、本発明の実施の形態を図面により詳述してきたが、具体的な形態はこの実施の形態に限られものではなく、本発明の要旨を逸脱しない範囲における設計の変更等があっても本発明に含まれる。
【００４１】
例えば、実施例では給湯用配管は一本を配列した一系列のものであるが、複数本を並列に接続した複数系列のものであってもよい。この場合、給湯用配管での圧力損失が減少するため、十分な出湯圧力が得られ。また、一系列のものに比べて同一の給湯量を得るのに、各熱交換部を流通する給湯用水の流量を少なくすることができ熱交換効率が向上する。
【００４２】
【発明の効果】
以上説明したように、請求項１の蓄熱式給湯装置によれば、給湯用配管は貯留タンク内の下部が給水管に接続され貯留タンク内の上部が給湯管に接続されて、蓄熱用流体と熱交換する熱交換部が貯留タンク内で上下に階層状に配設されているので、蓄熱用流体と給湯用水との熱交換時のロスが少なくすることができ、蓄熱用流体との熱交換のための循環ポンプが不要となり、シンプルで安価なものとなる。
【００４３】
請求項１の蓄熱式給湯装置によれば、温度検出手段で検出した給湯用水の温度が給湯設定温度に達していれば、下流側となる熱交換部を回避して給湯することができ、上段側で熱交換を行わないことにより高い温度に保つことができ、階層状の温度層の境界が明確となり、熱交換効率が向上する。
【００４４】
請求項３の蓄熱式給湯装置によれば、貯留タンクが複数個直列に連通管を介して配列されることにより、貯留タンク毎に異なる蓄熱用流体を明確に分離することができ、温度検出手段で検出した給湯用水の温度が給湯設定温度に達していれば、下流側となる熱交換部を回避して給湯することができ、下流側の熱交換部が配設されている貯留タンク内の蓄熱用流体は熱交換を行わないことにより高い温度に保つことができ、タンク毎の温度層の分離が明確になる。更に、貯留タンクの高さを低く抑えることができ、床下等の高さ制限をなる場所への設置が可能となる。
【図面の簡単な説明】
【図１】本発明の蓄熱式給湯装置の第１実施例を示す概略説明図である。
【図２】本発明の蓄熱式給湯装置の第２実施例を示す概略説明図である。
【図３】本発明の蓄熱式給湯装置の第３実施例を示す概略説明図である。
【図４】従来例の蓄熱式給湯装置を説明する概略説明図である。
【符号の説明】
Ｘ、Ｘ１、Ｘ２、Ｘ３    蓄熱用流体
１、１１、１２、１３    貯留タンク
２    加熱手段
３    給湯用配管
３０、３１、３２、３３    熱交換部
４    給水管
５    給湯管
６    流入管
７    流出管
８、９    切り替え手段（三方弁）
８１、９１  温度検知手段（温度センサ）
【図１】
2004251593.tif 000003
【図２】
2004251593.tif 000004
【図３】
2004251593.tif 000005
【図４】
2004251593.tif 000006